(57)【要約】【課題】多数の紙片を保持することができるとともに、保持した多数の紙片を容易に綴って保管することができる紙片ホルダーを提供することにある。【解決手段】紙片ホルダー１００は、方形状のベース部１１１の３つの辺上に側壁１１２ａ，１１２ｂ，１１２ｃが形成された保持ベース１１０を備えている。保持ベース１１０には、ベース部１１１内に磁石１２０が設けられており、同磁石１２０の第１の表面１２１が凹状の綴り体保持部１１３を介してベース部１１１の上面に露出するとともに、同磁石１２０の第２の表面１２２がベース部１１１の底面に露出している。また、保持ベース１１０には、ベース部１１１の綴り体保持部１１３に紙片Ｐを保持するための綴り体保持部１３０が着脱自在に嵌め込まれるとともに、同紙片綴り体１３０を覆う位置および離隔するに往復変位可能な状態で押圧体１４０が保持されている。【選択図】  図１
2012139970.tif 000002
【特許請求の範囲】
【請求項１】
磁石と、
塑性変形可能な素材を保持対象となる紙片の厚さ以上の長さの棒状に形成した変形保持部を有して前記磁石に対して着脱自在に吸着保持される紙片綴り体と、
前記磁石を前記紙片綴り体を吸着する第１の表面および同第１の表面とは異なる第２の表面をそれぞれ露出させた状態で保持する保持ベースと、
前記紙片綴り体における前記変形保持部の先端部上を覆う位置および同先端部から離隔した位置にそれぞれ変位可能な状態で前記保持ベースに保持された押圧体とを備えることを特徴とする紙片ホルダー。
【請求項２】
請求項１に記載した紙片ホルダーにおいて、
前記紙片綴り体は、
前記変形保持部の先端部が前記紙片を刺し通すことができる程度に尖って形成されていることを特徴とする紙片ホルダー。
【請求項３】
請求項１または請求項２に記載した紙片ホルダーにおいて、
前記紙片綴り体は、
前記磁石における前記第１の表面に対応する形状に形成された吸着面部を有し、
前記変形保持部は、前記吸着面部の両端部からそれぞれ互いに平行に延びて形成されていることを特徴とする紙片ホルダー。
【請求項４】
請求項１ないし請求項３のうちのいずれか１つに記載した紙片ホルダーにおいて、
前記押圧体は、
前記保持ベースに対して軸体を介して同軸体周りに回転摺動可能に保持されていることを特徴とする紙片ホルダー。
【請求項５】
請求項１ないし請求項４のうちのいずれか１つに記載した紙片ホルダーにおいて、さらに、
前記押圧体を前記紙片綴り体側に押すまたは引く弾性体を備えることを特徴とする紙片ホルダー。
【発明の詳細な説明】
【技術分野】
【０００１】
本発明は、レシートなどの紙片を複数枚保持できるとともに保持した複数枚の紙片を一まとめにして保管することができる紙片ホルダーに関する。
【背景技術】
【０００２】
従来から、レシートや荷物の送り状などの紙片を机上や冷蔵庫などの壁面上に一時的に保持する紙片ホルダーがある。例えば、下記特許文献１には、板状の基板内に埋め込んだ磁石の磁力を用いて、基板を磁性を有する壁面に取り付け可能にするとともに、基板に対向配置した挟持板によって紙片を挟持する紙片ホルダーが開示されている。また、下記特許文献２，３には、鳩目が形成された紙片を載置する基板上に紙片を綴る綴り紐を通した筒体を設けることにより、同筒体を介して多数の紙片を保持するとともに同筒体の除去により多数の紙片の鳩目に綴り紐を通して綴ることができる紙片ホルダーがそれぞれ開示されている。
【先行技術文献】
【特許文献】
【０００３】
【特許文献１】特開２００４−５０４７６号公報
【特許文献２】特開昭６３−１５９０９５号公報
【特許文献３】特開２００５−２６２４５１号公報
【０００４】
しかしながら、上記特許文献１に記載された紙片ホルダーにおいては、基板と挟持板とで紙片を挟んで保持するため、数枚程度の紙片しか保持することができないとともに保持多した複数枚の紙片においてもこれらを一まとめに綴って保管することができない。また、上記特許文献２，３に記載された各紙片ホルダーにおいては、綴り紐で多数の紙片を綴る毎に２つの筒体に綴り紐の両端部をそれぞれ通す作業が必要であるため、取り扱いが煩雑であるという問題があった。
【０００５】
本発明は上記問題に対処するためなされたもので、その目的は、多数の紙片を保持することができるとともに、保持した多数の紙片を容易に綴って保管することができる紙片ホルダーを提供することにある。
【発明の概要】
【０００６】
上記目的を達成するため、請求項１に係る本発明の特徴は、磁石と、塑性変形可能な素材を保持対象となる紙片の厚さ以上の長さの棒状に形成した変形保持部を有して磁石に対して着脱自在に吸着保持される紙片綴り体と、磁石を紙片綴り体を吸着する第１の表面および同第１の表面とは異なる第２の表面をそれぞれ露出させた状態で保持する保持ベースと、紙片綴り体における変形保持部の先端部上を覆う位置および同先端部から離隔した位置にそれぞれ変位可能な状態で保持ベースに保持された押圧体とを備えることにある。
【０００７】
このように構成した請求項１に係る本発明の特徴によれば、紙片ホルダーは、保持対象となる紙片の厚さ以上の長さに形成された変形保持部を有する紙片綴り体が保持ベースに設けられた磁石に着脱自在に保持されて構成されている。そして、この紙片ホルダーは、紙片綴り体における先端部に対向した状態で同先端部に対して近接および離隔する方向に変位する押圧体を備えている。したがって、鳩目を有する紙片を保持させる場合においては、同鳩目に変形保持部を通すことにより紙片綴り体に紙片を保持させることができる。そして、紙片綴り体に保持された紙片は、紙片綴り体を磁石から引き離して保持ベースから分離した後、変形保持部を折り曲げることによって紙片綴り体により一まとめに綴った状態で保管することができる。すなわち、本発明における紙片ホルダーにおいては、多数の紙片を保持することができるとともに、保持した多数の紙片を容易に綴って保管することができる。
【０００８】
また、請求項２に係る本発明の他の特徴は、前記紙片ホルダーにおいて、紙片綴り体は、変形保持部の先端部が紙片を刺し通すことができる程度に尖って形成されていることにある。
【０００９】
このように構成した請求項２に係る本発明の他の特徴によれば、紙片ホルダーにおける紙片綴り体は、変形保持部の先端部が紙片を刺し通すことができる程度に尖って形成されている。このため、鳩目を有さない紙片を保持させる場合においては、紙片綴り体の先端部上に紙片を配置した後、押圧体を紙片綴り体側に変位させることにより前記先端部を紙片に刺し通すことによって紙片綴り体に紙片を保持させることができる。これにより、鳩目が形成されていない紙片、例えば、スーパーマーケットなどでの買い物の際に受け取るレシートも保持させることができ、幅広い種類の紙片を保持させることができる。
【００１０】
また、請求項３に係る本発明の他の特徴は、前記紙片ホルダーにおいて、紙片綴り体は、磁石における第１の表面に対応する形状に形成された吸着面部を有し、変形保持部は、吸着面部の両端部からそれぞれ互いに平行に延びて形成されていることにある。
【００１１】
このように構成した請求項３に係る本発明の他の特徴によれば、紙片ホルダーにおける紙片綴り体は、磁石に取り付けられる吸着面部の両端部から変形保持部が互いに平行に延びて形成されている。これにより、保持対象となる紙片は、２つの変形保持部によって保持および綴られるため、保持ベース上および保持ベースから分離した状態においてそれぞれ安定的に保持させることができる。
【００１２】
また、請求項４に係る本発明の他の特徴は、紙片ホルダーにおいて、押圧体は、保持ベースに対して軸体を介して同軸体周りに回転摺動可能に保持されていることにある。
【００１３】
このように構成した請求項４に係る本発明の他の特徴によれば、紙片ホルダーは、押圧体が保持ベースに対して軸体を介して同軸体周りに回転摺動可能に支持されている。これにより、簡単な構成で押圧体を紙片貫通体における先端部に対して近接および離隔する方向に変位させることができる。
【００１４】
また、請求項５に係る本発明の他の特徴は、紙片ホルダーにおいて、さらに、押圧体を紙片綴り体側に押すまたは引く弾性体を備えることにある。
【００１５】
このように構成した請求項５に係る本発明の他の特徴によれば、紙片ホルダーは、押圧体を紙片綴り体側に押すまたは引く弾性体を備えている。これにより、押圧体が常に紙片綴り体に押し付けられているため、紙片を紙片綴り体の先端部を介して変形保持部に刺し込み易いとともに変形保持部に保持された紙片が変形保持部から抜け出し難くなり、精度良く紙片を保持することができる。
【図面の簡単な説明】
【００１６】
【図１】（Ａ）〜（Ｃ）は、本発明の一実施形態に係る紙片ホルダーの全体構成の概略を模式的に示す三面図であり、（Ａ）は紙片ホルダーの平面図であり、（Ｂ）は紙面ホルダーの側面図であり、（Ｃ）は紙面ホルダーの正面図である。
【図２】図１に示す紙片ホルダーにおける押圧体を透過させて示した紙片ホルダーの平面図である。
【図３】図２に示したＡ−Ａ線から見た紙片ボルダーの一部破断側面断面図である。
【図４】図２に示したＢ−Ｂ線から見た紙片ボルダーの一部破断正面断面図である。
【図５】図１に示した紙片綴り体の全体構成を示す斜視図である。
【図６】図３に示した紙片ホルダーにおける押圧体を開いた状態を示す紙片ボルダーの一部破断側面断面図である。
【図７】図５に示した紙片綴り体によって紙片を綴る際の様子を説明するための説明図である。
【発明を実施するための形態】
【００１７】
以下、本発明に係る紙片ホルダーの一実施形態について図面を参照しながら説明する。図１（Ａ）〜（Ｃ）は、本発明に係る紙片ホルダー１００の全体構成の概略を模式的に示す三面図であり、（Ａ）は紙片ホルダー１００の平面図であり、（Ｂ）は紙面ホルダー１００の側面図であり、（Ｃ）は紙面ホルダー１００の正面図である。なお、本明細書において参照する各図は、本発明の理解を容易にするために一部の構成要素を誇張して表わすなど模式的に表している。このため、各構成要素間の寸法や比率などは異なっていることがある。この紙片ホルダー１００は、スーパーマーケットなどでの買い物の際に代金支払い者に渡される領収金額が示されたレシートや宅配業者を利用した際に渡される荷受証などの各種紙片を保管のために保持させる道具である。
【００１８】
（紙片ホルダー１００の構成）
紙片ホルダー１００は、保持ベース１１０を備えている。保持ベース１１０は、後述する磁石１２０および押圧体１４０をそれぞれ保持するための樹脂製の部品であり、平面視において方形状に形成されている。この保持ベース１１０は、図２〜図４に示すように、平面視が方形板状のベース部１１１と、同ベース部１１１における３つの各辺上にそれぞれ起立した状態で形成された側壁１１２ａ，１１２ｂ，１１２ｃとで構成されている。なお、図２（Ａ）においては、保持ベース１１０の構成を明確にするために押圧体１４０を二点鎖線で示している。
【００１９】
ベース部１１１における上面には、同上面の中央部より側壁１１２ａ側に寄った位置に紙片ホルダー１００の幅方向に延びた状態で凹状に切欠かれた綴り体保持部１１３が形成されている。綴り体保持部１１３は、後述する紙片綴り体１３０の一部（底部）が嵌め込まれて同紙片綴り体１３０を保持する有底部を有する穴であり、紙片綴り体１３０の一部（底部）が嵌合可能な形状でベース部１１１の厚さの略半分程度の深さで形成されている。一方、ベース部１１１における下面には、綴り体保持部１１３に連通した状態で貫通孔状の磁石保持部１１４が形成されている。磁石保持部１１４は、磁石１２０が嵌め込まれて同磁石１２０を保持するための部分であり、ベース部１１１の下面から綴り体保持部１１３に達するまでの深さで形成されている。
【００２０】
側壁１１２ａにおける上側中央部には、円筒状の押圧体保持部１１５が保持ベース１１０の幅方向に延びた状態で形成されている。押圧体保持部１１５は、回転保持軸１１６を回転摺動可能な状態で保持するための貫通孔を有して構成されている。また、回転保持軸１１６は、押圧体１４０を保持ベース１１０に対して回動自在に保持するための鋼製の軸体であり、保持ベース１１０の幅と略同じ長さに形成されている。
【００２１】
磁石１２０は、保持ベース１１０を壁面などの取付面Ｓに着脱自在に取り付けるとともに、紙片綴り体１３０をベース部１１１上に保持するためのフェライト製の磁石であり、方形薄板状に形成されている。この磁石１２０は、保持ベース１１０のベース部１１１に形成された磁石保持部１１４内に嵌め込まれた状態で接着剤により固定されている。すなわち、磁石１２０は、紙片綴り体１３０を磁気的に吸着する第１の表面１２１が綴り体保持部１１３を介してベース部１１１の上面に露出するとともに、保持ベース１１０を取付面Ｓに磁気的に吸着する第２の表面１２２がベース部１１１の底面に露出した状態で磁石保持部１１４内に固着されている。なお、本実施形態においては、磁石１２０は、フェライトで構成されているが、他の材料、例えば、ネオジムやアルニコで構成されていても良いことは当然である。
【００２２】
紙片綴り体１３０は、保持対象となる紙片Ｐを保持するための部品であり、磁性を有した塑性変形可能な素材で構成されている。本実施形態においては、紙片綴り体１３０は、磁性を有する厚さ０.８ｍｍのステンレス材で構成されている。この紙片綴り体１３０は、図５に示すように、帯状に延びて形成された吸着面部１３１と、同吸着面部１３１の両端部に起立した状態で形成された２つの変形保持部１３２と、これら２つの変形保持部１３２の各先端部にそれぞれ形成された尖端部１３３とで構成されている。なお、図２〜４および図５〜７においては、紙片Ｐを細線の二点鎖線で示している。
【００２３】
吸着面部１３１は、前記磁石１２０における第１の表面１２１上に吸着される面を構成する板状の部分であり、磁石１２０の第１の表面１２１に対応する平面視方形状に形成されている。変形保持部１３２は、紙片Ｐを貫通して保持するための板状部分であり、吸着面部１３１の両端部において同吸着面部１３１に対して直角に起立して形成されている。この変形保持部１３２は、紙片Ｐを保持する枚数に対応する長さに形成されている。この場合、紙片Ｐを保持する枚数に対応する長さとは、保持する紙片Ｐの総数分の厚さ量に変形保持部１３２を折り曲げて紙片Ｐを押える部分の長さを加えた量であり、概ね、保持する紙片Ｐの総数分の厚さ量の２〜３倍に相当する長さである。本実施形態においては、変形保持部１３２は、約５０枚の紙片Ｐを保持可能な長さ（約１３ｍｍ）に形成されている。また、本実施形態においては、２つの変形保持部１３２のピッチは約３８ｍｍに形成されている。
【００２４】
尖端部１３３は、鳩目が形成されていない紙片Ｐに変形保持部１３２を通すための部分であり、紙片Ｐを刺し通すことができる程度に尖った形状に形成されている。本実施形態においては、尖端部１３３は、変形保持部１３２の幅方向における一方端から他方端に向って傾斜した形状に形成されている。そして、この紙片綴り体１３０は、帯状に延びる薄板状のステンレス鋼板の両端部に尖端部１３３をそれぞれ形成した後、同帯状のステンレス鋼板の両側を直角方向に折り曲げることにより変形保持部１３２をそれぞれ形成して成形される。
【００２５】
押圧体１４０は、紙片Ｐを紙片綴り体１３０の尖端部１３３に押し付けるとともに、変形保持部１３２に保持された紙片Ｐの抜け落ちを防止するための樹脂製の板状部品であり、保持ベース１１０上に保持された紙片綴り体１３０の尖端部１３３を覆った状態で設けられている。この押圧体１４０は、主として、押圧部１４１と連結部１４３とで構成されている。これらのうち、押圧部１４１は、保持ベース１１０におけるベース部１１１の図示上側半分を覆う大きさの板状体で構成されている。なお、図３においては、押圧体１４０の一部を二点鎖線で示している。
【００２６】
この押圧部１４１における紙片綴り体１３０に対向する下面には、紙片綴り体１３０の尖端部１３３に対応する位置に同尖端部１３３の形成方向（図示上下方向）に沿って２つの溝部１４２がそれぞれ形成されている。これらの溝部１４２は、押圧体１４０を紙片綴り体１３０上に位置させた際に、紙片綴り体１３０の尖端部１３３がそれぞれ入り込む逃げ部である。この溝部１４２は、紙片綴り体１３０の変形保持部１３２の厚さより広い幅に形成されるとともに、押圧体１４０を紙片綴り体１３０上に位置させた際に尖端部１３３の最先端部との間に隙間が生じる深さに形成されている。
【００２７】
連結部１４３は、押圧部１４１を保持ベース１１０に可動的に連結する部分であり、押圧部１４１と一体的に形成されている。具体的には、連結部１４３は、前記回転保持軸１１６の両端部を回転摺動可能な状態で保持する貫通孔を有して構成されており、この回転保持軸１１６の両端部を保持する部分が押圧部１４１における一側面（各図において上側）の両端部から略Ｕ字状に張り出して形成されている。すなわち、押圧体１４０は、押圧体１４０における連結部１４３と保持ベース１１０における押圧体保持部１１５とをそれぞれ貫通する回転保持軸１１６によって保持ベース１１０に対して回転保持軸１１６の軸線回りに回転摺動可能な状態で一体的に組み付けられている。これにより、押圧体１４０は、保持ベース１１０に保持された紙片綴り体１３０の尖端部１３３を覆う位置および同尖端部１３３から離隔した位置にそれぞれ往復回転変位可能となっている。
【００２８】
（紙片ホルダー１００の作動）
次に、このように構成した紙片ホルダー１００の作動について説明する。まず、紙片ホルダー１００の使用者は、紙片ホルダー１００を用意する。具体的には、使用者は、押圧体１４０が一体的に連結された保持ベース１１０と、紙片綴り体１３０とをそれぞれ用意する。次いで、使用者は、紙片綴り体１３０を保持ベース１１０に取り付ける。この場合、使用者は、図６に示すように、保持ベース１１０に連結された押圧体１４０の押圧部１４１を手で把持して図示上方に回動操作することにより押圧部１４１をベース部１１１から離隔させた開放状態で、紙片綴り体１３０の吸着面部１３１をベース部１１１上に形成された綴り体保持部１１３内に挿入する。これにより、紙片綴り体１３０は、綴り体保持部１１３に露出する磁石１２０の第１の表面１２１に吸着面部１３１が磁気的に吸着されてベース部１１１上に保持される。なお、図６においては、押圧体１４０の一部を二点鎖線で示している。
【００２９】
次に、使用者は、紙片ホルダー１００を紙片ホルダー１００の設置場所、すなわち、紙片ホルダー１００を介して紙片Ｐを保持しておく場所に取り付ける。具体的には、使用者は、磁性を有する壁面、例えば、冷蔵庫の壁面や掲示板などの取付面Ｓ上に紙片ホルダー１００における保持ベース１１０の底面を当てる。これにより、保持ベース１１０の底面に露出した磁石１２０の第２の表面１２２が取付面Ｓに磁気的に吸着するため、同磁石１２０の磁力により保持ベース１１０、すなわち、紙片ホルダー１００が取付面Ｓ上に固定される。
【００３０】
この場合、使用者は、紙片ホルダー１００における押圧体１４０と保持ベース１１０との連結部分を上側に配置した向きで紙片ホルダー１００を取付面Ｓに取り付ける。これにより、紙片ホルダー１００の押圧体１４０は、保持ベース１１０における押圧体保持部１１５から下垂して閉じた状態となるため、押圧部１４１が紙片綴り体１３０における尖端部１３３を覆った状態、より具体的には、押圧部１４１に形成された溝部１４２内に紙片綴り体１３０の尖端部１３３が入り込んだ状態となる。なお、本実施形態においては、紙片綴り体１３０における尖端部１３３の最先端部を側壁１１２ａとは反対側（図示下方）に位置した向きでベース部１１１上に配置した。しかし、紙片綴り体１３０は、紙片綴り体１３０における尖端部１３３の最先端部が側壁１１２ａに位置した向きでベース部１１１上に配置されてもよい。
【００３１】
次に、使用者は、紙片Ｐを紙片ホルダー１００に保持させる。この場合、紙片Ｐの紙面上に予め鳩目（図示せず）が形成された紙面Ｐを紙片ホルダー１００に保持させる場合においては、使用者は、押圧部１４１を手で把持して図示上方に回動操作することにより押圧部１４１を紙片綴り体１３０から離隔させた開放状態とした後（図６参照）、紙片Ｐの鳩目に紙片綴り体１３０の変形保持部１３２を尖端部１３３を介して通す。そして、使用者は、紙片綴り体１３０から離隔状態にある押圧部１４１を図示下方に回動操作することにより、再び、同押圧部１４１によって紙片綴り体１３０を覆う状態とする（図３参照）。これにより、鳩目が形成された紙片Ｐは、紙片綴り体１３０の変形保持部１３２に吊り下げられた状態で保持される。そして、この場合、紙片綴り体１３０に保持された紙片Ｐは、紙片綴り体１３０の尖端部１３３が押圧体１４０における押圧部１４１によって覆われているため、変形保持部１３２からの抜け落ちが防止される。
【００３２】
一方、紙片Ｐの紙面上に鳩目が形成されていない紙片Ｐを紙片ホルダー１００に保持させる場合においては、使用者は、押圧部１４１を手で把持して図示上方に回動操作することにより押圧部１４１を紙片綴り体１３０から離隔させた開放状態とした後、紙片Ｐにおける変形保持部１３２を通す部分を紙片綴り体１３０における尖端部１３３上に配置する。そして、使用者は、紙片綴り体１３０から離隔状態にある押圧部１４１を紙片Ｐに向って（図示下方）回動操作することにより、紙片綴り体１３０の尖端部１３３上に配置した紙片Ｐを紙片綴り体１３０側に回転変位する押圧部１４１によって尖端部１３３に向って押圧する。
【００３３】
これにより、紙片Ｐに尖端部１３３が刺し通されて変形保持部１３２が貫通するとともに、押圧部１４１が再び紙片綴り体１３０を覆う状態となる。すなわち、鳩目が形成されていない紙片Ｐは、前記鳩目が形成された紙片Ｐと同様に、紙片綴り体１３０の変形保持部１３２に吊り下げられた状態で保持される。この場合、紙片綴り体１３０に保持された紙片Ｐは、紙片綴り体１３０の尖端部１３３が押圧体１４０における押圧部１４１によって覆われているため、変形保持部１３２からの抜け落ちが防止される。
【００３４】
そして、使用者は、紙片綴り体１３０に保持可能な枚数（本実施形態においては５０枚）の紙片Ｐを、それぞれ前記手順によって紙片綴り体１３０に蓄積しながら保持させることができる。また、この紙片Ｐを蓄積保持する間において、保持した紙片Ｐを紙片綴り体１３０から取り出す場合においては、使用者は、押圧部１４１を手で把持して図示上方に回動操作することにより押圧部１４１を紙片綴り体１３０から離隔させた開放状態において、変形保持部１３２が貫通した紙片Ｐを同変形保持部１３２から抜き取ることにより紙片Ｐを紙片綴り体１３０から取り出すことができる。
【００３５】
また、紙片綴り体１３０に保持した紙片Ｐが保持可能な枚数に達した場合には、使用者は、紙片綴り体１３０を保持ベース１１０から取り外す。具体的には、使用者は、押圧部１４１を手で把持して図示上方に回動操作することにより押圧部１４１を紙片綴り体１３０から離隔させた開放状態において、磁石１２０における第１の表面１２１に磁気的に貼り付いた紙片保持体１３２を同磁石１２０から引き剥がす。
【００３６】
そして、使用者は、押圧部１４１をベース部１１１側に回転変位させて押圧部１４１を閉じた後、紙片Ｐを蓄積保持した紙片綴り体１３０を塑性変形させることにより紙片Ｐを綴る。具体的には、使用者は、図７に示すように、紙片綴り体１３０における蓄積保持した紙片Ｐから突き出た変形保持部１３２を互いに内側に折り曲げて塑性変形させることにより紙片Ｐを綴ることができる。これにより、使用者は、複数枚の紙片Ｐを紙片綴り体１３０単位で一まとめにして保存することができる。
【００３７】
また、紙片綴り体１３０を保持ベース１１０から取り外した使用者は、更に別の新たな紙片Ｐを紙片ホルダー１００に保持させる場合には、新たな紙片綴り体１３０を用意した後、新たな紙片綴り体１３０を前記と同様にして保持ベース１１０に保持させる。これにより、使用者は、新たな紙片Ｐを前記と同様にして紙片ホルダー１００に保持させることができる。一方、紙片ホルダー１００に新たな紙片Ｐを保持させる必要がない場合には、使用者は、保持ベース１１０を取付面Ｓから磁石１２０の磁力に抗して引き剥がすことにより紙片ホルダー１００を取付面Ｓから除去することができる。
【００３８】
上記作動説明からも理解できるように、上記実施形態によれば、紙片ホルダー１００は、保持対象となる紙片Ｐの厚さ以上の長さに形成された変形保持部１３２を有する紙片綴り体１３０が保持ベース１１０に設けられた磁石１２０に着脱自在に保持されて構成されている。そして、この紙片ホルダー１００は、紙片綴り体１３０における先端部である尖端部１３３に対向した状態で同尖端部１３３に対して近接および離隔する方向に変位する押圧体１４０を備えている。したがって、鳩目を有する紙片Ｐを保持させる場合においては、同鳩目に変形保持部１３２を通すことにより紙片綴り体１３０に紙片Ｐを保持させることができる。また、鳩目を有さない紙片Ｐを保持させる場合においては、紙片綴り体１３０の尖端部１３３上に紙片Ｐを配置した後、押圧体１４０を紙片綴り体１３０側に変位させることにより尖端部１３３を紙片Ｐに刺し通すことによって紙片綴り体１３０に紙Ｐを保持させることができる。そして、紙片綴り体１３０に保持された紙片Ｐは、紙片綴り体１３０を磁石１２０から引き離して保持ベース１１０から分離した後、変形保持部１３２を折り曲げることによって紙片綴り体１３０により一まとめに綴った状態で保管することができる。すなわち、本発明における紙片ホルダー１００においては、多数の紙片Ｐを保持することができるとともに、保持した多数の紙片Ｐを容易に綴って保管することができる。
【００３９】
さらに、本発明の実施にあたっては、上記実施形態に限定されるものではなく、本発明の目的を逸脱しない限りにおいて種々の変更が可能である。
【００４０】
例えば、上記実施形態においては、紙片ホルダー１００を設置する取付面Ｓは、磁性を有する壁面とした。しかし、紙片ホルダー１００を設置する取付面Ｓは、必ずしも磁性を有する壁面に限定されるものではなく、例えば、木材や樹脂材からなる天板を備える机上であっても良いことは当然である。この場合、押圧体１４０における押圧部１４１は、通常時は、自重により紙片綴り体１３０の尖端部１３３を覆った状態となる。
【００４１】
また、上記実施形態においては、紙片綴り体１３０における変形保持部１３２は、約５０枚の紙片Ｐを綴ることができる長さに形成した。しかし、紙片綴り体１３０における変形保持部１３２の長さは、少なくとも１枚以上の紙片Ｐを貫通するとともに同貫通した紙片Ｐを塑性変形により保持することができる長さに形成されていれば良い。
【００４２】
また、上記実施形態においては、紙片綴り体１３０は、吸着面部１３１の両端部に２つの変形保持部１３２を備えて構成されている。しかし、紙片綴り体１３０は、少なくとも１つの変形保持部１３２を備えて構成されていればよい。例えば、紙片綴り体１３０は、吸着面部１３１の中央部に１つの変形保持部１３２を備えて構成されていても良い。
【００４３】
また、上記実施形態においては、紙片綴り体１３０は、磁性を有するステンレス鋼により構成されている。しかし、紙片綴り体１３０は、変形保持部１３２を有するとともに磁石１２０に磁気的に吸着するように構成されていれば良い。例えば、紙片綴り体１３０は、磁性を有さないステンレス鋼やアルミニウム材を用いて構成するとともに、吸着面部１３１にのみ磁性を有する材料、例えば、鋼板やマグネットシートを貼り付けて構成しても良い。
【００４４】
また、上記実施形態においては、紙片綴り体１３０は、変形保持部１３２の先端部を尖らせた尖端部１３３が形成されて構成されている。しかし、紙片綴り体１３２は、必ずしも、変形保持部１３２の先端部を尖らせた形状に形成する必要はない。すなわち、紙片Ｐの紙面上に予め鳩目が形成されている紙片Ｐを保持するための紙片ホルダー１００の場合には、紙片綴り体１３２における変形保持部１３２の先端部を尖らせる必要はない。
【００４５】
また、上記実施形態においては、磁石１２０における第１の表面１２１と第２表面１２２とは互いに対向する平行な面で構成されている。しかし、磁石１２０における第１の表面１２１と第２表面１２２とは、必ずしも互いに平行な面である必要はなく、例えば、第１の表面１２１と第２表面１２２とが互いに隣り合って直交する面であっても良い。そして、磁石１２０を保持する保持ベース１１０は、これら互いに直交する第１の表面１２１と第２表面１２２とをそれぞれ露出して保持するように構成されていれば良い。なお、この場合、保持ベース１１０は、磁石１２０における第１の表面１２１および第２の表面１２２を必ずしも完全に露出させた状態で保持する必要はなく、磁石１２０の磁力が紙片綴り体１３０や取付面Ｐに及ぶ範囲であれば保持ベース１１０を構成する素材で覆われていても良い。
【００４６】
また、上記実施形態においては、押圧体１４０における押圧部１４１は、自重により紙片綴り体１３０における変形保持部１４２の先端部を覆うように構成されている。しかし、コイルバネや板バネなどの弾性体を用いて押圧部１４１を強制的に紙片綴り体１３０側に押すまたは引くように構成することもできる。この場合、弾性体は、例えば、保持ベース１１０における押圧体保持部１１５内や押圧体１４０における連結部１４３内に設けることができる。これらによれば、押圧体１４０が常に紙片綴り体１３０に押し付けられているため、紙片Ｐを紙片綴り体１３０の先端部を介して変形保持部１３２に刺し込み易いとともに変形保持部１３２に保持された紙片Ｐが変形保持部１３２から抜け出し難くなり、精度良く紙片Ｐを保持させることができる。
【００４７】
また、上記実施形態においては、押圧体１４０は、押圧部１４１の下面に溝部１４２が形成されて構成されている。しかし、押圧体１４０は、紙片綴り体１３０の先端部上を覆うことができれば良く、必ずしも溝部１４２は必要ではない。すなわち、押圧体１４０における押圧部１４１は、紙片綴り体１３０における変形保持部１４２に保持された紙片Ｐの抜け落ちが防止できれば良いため、変形保持部１４２の先端部との間に紙片Ｐの厚さ未満の隙間を形成する形状であれば良く、例えば、単に平板形状であっても良い。
【符号の説明】
【００４８】
Ｐ…紙片、Ｓ…取付面、
１００…紙片ホルダー、１１０…保持ベース、１１１…ベース部、１１２ａ，１１２ｂ，１１２ｃ…側壁、１１３…綴り体保持部、１１４…磁石保持部、１１５…押圧体保持部、１１６…回転保持軸、
１２０…磁石、１２１…第１の表面、１２２…第２の表面、
１３０…紙片綴り体、１３１…吸着面部、１３２…変形保持部、１３３…尖端部、
１４０…押圧体、１４１…押圧部、１４２…溝部、１４３…連結部。
【図１】
2012139970.tif 000003
【図２】
2012139970.tif 000004
【図３】
2012139970.tif 000005
【図４】
2012139970.tif 000006
【図５】
2012139970.tif 000007
【図６】
2012139970.tif 000008
【図７】
2012139970.tif 000009